(57)【要約】      （修正有）【課題】収納や携帯時には脚を倒して上円を底円と水平付近まで下ろして、ホールポストが嵩張るのをなくし、コンパクトに収納し、携帯し易くすることができるグランドゴルフ用ポールポストを提供する。【解決手段】底円１２と上円１１と、上円１１を底円１２から同心円状の上方に立脚支持することができる複数の脚１３とからなる。また、上円１１を立脚支持する状態で脚１３を固定する第一状態と、前記第一状態を解除し、立脚支持する状態から脚１３を傾倒して上円１１を底円１２付近まで下ろした第二状態にするための固定手段２２を設けてグランドゴルフ用のホールポストを形成する。【選択図】図２
0003160355.tif 000002
【実用新案登録請求の範囲】
【請求項１】
断面円形の線状部材をリング状にした底円と、
底円より半径が小さい上円と、
上円を底円から同心円状の上方に立脚支持し、傾倒可能な複数の脚と、
上円の中心点付近にポールを支持するポール支持部とからなるものものであって、
上円を立脚支持する状態で脚を固定する第一状態と、
前記第一状態の固定を解除し、立脚支持する状態から脚を傾倒して上円を底円付近まで捻り下ろした第二状態、
にするための起伏手段を有することを特徴とするグランドゴルフ用ホールポスト。
【請求項２】
脚は、上方に伸びる立ち上がり部と、
立ち上がり部から折曲部を介して水平方向となる水平部とからなり、
上円に脚の一部を収納する筒状部を備えており、
第一状態は、立ち上がり部を立ち上げて、上円を底円との同心円状の上方で立脚支持する状態で、脚の筒状部への収納状態を固定し、
第二状態は、前記第一状態を解除して、脚を周縁方向になるように傾倒して上円を底円付近まで下降させることを特徴とする請求項１に記載のグランドゴルフ用ホールポスト。
【請求項３】
水平部と筒状部との固定は、
水平部のうち筒状部に収納した一部が断面直方形状となる被固定部となり、
当該被固定部において筒状部に配置する固定手段により固定することを特徴する請求項１又は２のいずれかに記載のグランドゴルフ用ホールポスト。
【請求項４】
固定手段による固定は、
筒状部の外部からネジ状の固定部材を螺入して、筒状部に収納された被固定部を押圧固定することを特徴とする請求項１、２又は３のいずれかに記載のグランドゴルフ用ホールポスト。
【請求項５】
筒状部は、中空の直方体で外方端部に開口部があり、均等となる角度で三方向に放射状に配置されるものであって、
当該筒状部の上円中心点付近で上面がポール支持部の下面と接合し、その外方上面で上円を支持し、
脚の水平部を前記開口部から挿入して固定することを特徴とする請求項１、２、３又は４のいずれかに記載のグランドゴルフ用ホールポスト。
【請求項６】
立ち上がり部を立ち上げて上円を立脚支持する第一状態で、立ち上がり部の下端部分と、底円の表面で当該下端部分との接触部分とを、起伏可能に結合することを特徴とする請求項１、２、３、４又は５のいずれかに記載のグランドゴルフ用ホールポスト。
【請求項７】
立ち上がり部の下端部分付近と、底円の表面の当該立ち上がり部の下端部分との接触部分付近とを、いずれも開口し、両開口部分にリングを通して、当該下端部分と接触部分とが接離でき、起伏可能に結合することを特徴とする請求項６に記載のグランドゴルフ用ホールポスト。
【考案の詳細な説明】
【技術分野】
【０００１】
本考案は、生涯スポーツとして行われるグランドゴルフにおいて、最終的にボールを入れるためのホールと、そのホール位置を遠くから認識できるためのポストを立てることができるグランドゴルフ用ホールポストに関するものである。
【背景技術】
【０００２】
グランドゴルフは、一般のゴルフと異なり、直径６ｃｍのボールを、ヘッドに傾斜のないクラブで打ち、ホールに数少ない打数で入れることを競うスポーツである。
【０００３】
本考案の背景技術として、特許文献１がある。これは、図１０（ａ）に示すように、ボールを入れるためのホールポスト１０２に、ポール１０１を連結したものである。
さらに詳細には、ホールポスト１０２は、リング状の外側フレーム１０３と内側フレーム１０４と、これらを連結する連結フレーム１０５、１０５、１０５と、ポールを支持する支持板１０６からなり、支持板１０６の下方に寸胴形の鈴１０７を位置させ、ポール１０１を着脱自在に支持できるようにするものである。
そして、図１０（ｂ）に示すように、鈴１０７をポール１０１の下端に取り付けた後、ポール１０１と鈴１０７との間にあるネジ切り加工がされた接合部１０８を支持板１０６のネジ部に螺合する。これにより、ポール１０１と鈴１０７がいずれも着脱できることになるので、複数のホールポストを重ねて収納することができる。
【先行技術文献】
【特許文献】
【０００４】
【特許文献１】特開平１１−１５１３３３号公報
【考案の概要】
【考案が解決しようとする課題】
【０００５】
先行技術文献にかかる発明は、コンパクトに収納、携帯を容易にするためのものであった。
しかし、ホールポストを重ねて収納、携帯することができるが、そもそもホールポストは上円を底円から脚により立脚支持するという立体的な構造となっているので、複数のホールポストを重ねたとしても、嵩が高くなり、収納し難く、携帯して移動することが難しい。そのため、より収納、携帯し易いグランドゴルフ用ホールポストが求められていた。
【課題を解決するための手段】
【０００６】
そこで、上記課題を解決するための手段として、本考案によるグランドゴルフ用ホールポストは、断面円形の線状部材をリング状にした底円と、底円より半径が小さい上円と、上円を底円から同心円状の上方に立脚支持し、傾倒可能な複数の脚と、上円の中心点付近にポールを支持するポール支持部とからなるものものであって、上円を立脚支持する状態で脚を固定する第一状態と、前記第一状態の固定を解除し、立脚支持する状態から脚を傾倒して上円を底円付近まで捻り下ろした第二状態、にするための起伏手段を有することを特徴とするものである。
【０００７】
また、脚は、上方に伸びる立ち上がり部と、立ち上がり部から折曲部を介して水平方向となる水平部とからなり、上円に脚の一部を収納する筒状部を備えており、第一状態は、立ち上がり部を立ち上げて、上円を底円との同心円状の上方で立脚支持する状態で、脚の筒状部への収納状態を固定し、第二状態は、前記第一状態を解除して、脚を周縁方向になるように傾倒して上円を底円付近まで下降させることが、好ましい。
【０００８】
また、水平部と筒状部との固定は、水平部のうち筒状部に収納した一部が断面直方形状となる被固定部となり、当該被固定部において筒状部に配置する固定手段により固定することが、好ましい。
【０００９】
また、固定手段による固定は、筒状部の外部からネジ状の固定部材を螺入して、筒状部に収納された被固定部を押圧固定することが、好ましい。
【００１０】
また、筒状部は、中空の直方体で外方端部に開口部があり、均等となる角度で三方向に放射状に配置されるものであって、当該筒状部の上円中心点付近で上面がポール支持部の下面と接合し、その外方上面で上円を支持し、脚の水平部を前記開口部から挿入して固定することが、好ましい。
【００１１】
また、立ち上がり部を立ち上げて上円を立脚支持する第一状態で、立ち上がり部の下端部分と、底円の表面で当該下端部分との接触部分とを、起伏可能に結合することが、好ましい。
【００１２】
また、立ち上がり部の下端部分付近と、底円の表面の当該立ち上がり部の下端部分との接触部分付近とを、いずれも開口し、両開口部分にリングを通して、当該下端部分と接触部分とが接離でき、起伏可能に結合することが、好ましい。
【考案の効果】
【００１３】
上記解決手段により、使用時には、上円を底円から上方へ脚により立脚支持して固定する第一状態とすることができ、ホールポストとして利用可能である。一方、収納や携帯時には、脚を倒して上円を底円と水平付近まで下ろす第二状態とすることができる。これにより、従来技術とは異なり、ホールポストの嵩張りをなくし、コンパクトに収納し、携帯し易くすることができる。
【００１４】
また、筒状部にある固定部材により簡単な方法で固定することができるから、使用者が簡易に組み立てて固定したり、固定を解除して容易に折りたたんで収納することが可能になる。
【図面の簡単な説明】
【００１５】
【図１】本考案の一例であるホールポストに、旗のついたポール、鈴を取り付けた最終使用状態を示す斜視図である。
【図２】本考案の第一実施例であって、第一状態を示す斜視図である。
【図３】本考案の第一実施例であって、（ａ）の第一状態から（ｂ）のように傾斜させ（ｃ）の第二状態としたそれぞれの斜視図である。
【図４】（ａ）は本考案の第一実施例の第一状態における固定手段を示す斜視図であり、（ｂ）は（ａ）のＺ−Ｚ線拡大断面図であり、（ｃ）は（ｂ）と同じ断面図であって、ボタン部材による固定状態を示す。
【図５】本考案の立ち上がり部の下端部分と底円との接触部分を示す拡大斜視図であり、（ａ）の第一状態から（ｂ）のように傾斜させ、（ｃ）の第二状態としたそれぞれの状態を示し、（ｄ）は折曲接合部による下端部分と接触部分との傾倒状態を示す拡大斜視図である。
【図６】本考案の第二実施例であって、（ａ）は第一状態を示す斜視図であり、（ｂ）は固定部付近の拡大斜視図である。
【図７】本考案の第三実施例の固定手段を示す斜視図であり、（ａ）は凸部を含む水平部と被固定部を示す拡大斜視図、（ｂ）は固定部における固定状態を示す拡大斜視図、（ｃ）は（ｂ）のＹ−Ｙ線拡大断面図である。
【図８】（ａ）は本考案の第四実施例の固定手段であるコマを示す拡大斜視図であり、（ｂ）は第四実施例における固定状態を示す拡大斜視図である。
【図９】図８（ｂ）のＸ−Ｘ線拡大断面図であり、（ａ）は固定状態を、（ｂ）は固定を解除した状態を示す。
【図１０】従来技術を示す斜視図であり、（ａ）はホールポストに、旗のついたポール、鈴を取り付けた最終使用状態を示し、（ｂ）はホールポストに鈴のついたポールを取り付ける状態を示す。
【考案を実施するための形態】
【００１６】
本考案のグランドゴルフ用のホールポストを実施するための形態について、図面に沿って説明する。
図１は、本考案の一例であるグランドゴルフ用のホールポストの最終使用形態を示す。旗４のついたポール１、鈴３をホールポスト２に取り付けて使用する。図１０（ｂ）に示すように、先に鈴３をポスト１に取り付けた後で鈴３のついたポール１をホールポスト２に取り付ける場合や、ポール１とは別に鈴３をホールポスト２に直接取り付ける場合（図示しない）がある。本実施例では前者を前提に説明するが、本考案は後者の場合にも適用することができ、前者に限定されない。
【００１７】
本考案のホールポスト２の第一実施例を図２に示す。
ホールポスト２は、断面が円形で金属製の線状部材をリング状に形成した上円１１、底円１２と、底円１２から立ち上がって上円１１を支持する脚１３からなる。
上円１１は底円１２の同心円状の上方にあり、底円１２に比して半径が小さい。脚１３は、上円１１の中央にあるポール支持部１７から均等な角度で三本、放射状に配置されている。各々の脚１３は、底円１２から上方、つまり略垂直に立ち上がる立ち上がり部１４があり、当該立ち上がり部１４から略直角に折り曲げられた折曲部１５を介して、ほぼ水平状の水平部１６とからなる。図２に示す第一実施例は、立ち上がり部１４が上方に行くにしたがって底円１２の中心点方向（内方向）へ向うように約５ないし１０度傾斜し、折曲部１５で折曲されてほぼ水平となる水平部１６がそれに続いている。水平部１６も中心点方向から遠ざかる方向（外方向）に行くにしたがって約５ないし１０度低くなるように傾斜している。
社団法人日本グランドゴルフ協会が定める用具標準規則では、底円１２の直径が３６ｃｍ、上円１１の直径が２０ｃｍ、図２に示す第一実施例における底円１２が地表に接していたときの上円１１の高さは１１ｃｍであり、上円１１と底円１２の線状部材は太さ６ｍｍの金属線を用いることとされており、図１０（ａ）、（ｂ）に示すものが基本形状とされている。本実施例はこれらの規格に沿った競技用のホールポストに関するものであるが、これに限定されるものではない。図示しないが、折曲部が約４５度大きく傾斜した形態など、かかる規格に適合しない練習用のホールポストにも適用することができる。
【００１８】
ポール１を取り付けるための円筒形のポール支持部１７は、上円１１の中心点付近に配置される。ポール支持部１７は、中央に上下方向にネジ孔１８が開けられており、上下方向と直行する一方向の周縁端からネジ孔１８にかけて通し溝１９が形成されている。図１０（ｂ）と同じように、ポストと鈴とが予め取り付けられている場合には、ポール１に形成されたネジ切部分（図示しない）をネジ孔１８に螺着し、予めポールの下端に取り付けられている鈴をポール支持部１７の下側に配置するが、前記通し溝１９はその際鈴３とポール１を通すために用いられる。
【００１９】
ポール支持部１７は、その下面で三方向へ均等に放射状に延び出させてある筒状部２１と溶接固定してある。筒状部２１は中空の直方体形状で、内部に脚１３の水平部１６を挿入・収納可能としてある。そして、筒状部２１の外方端付近の上面において上円１１を溶接固定して支持している。
また、筒状部２１の長手方向中央付近の上面には、固定手段２２の一例であるネジを配置してある。
【００２０】
本実施例のホールポスト２の第一状態から脚を傾倒して第二状態とする様子を図３に示す。
図３（ａ）は、本実施例のホールポスト２の第一状態であり、図１のホールポスト２の最終使用状態と同じ状態である。
かかる第一状態から、後述する固定手段２２による固定状態を解除して、脚１３の立ち上がり部１４をＡの方向へ倒して傾倒させる。このとき、脚１３の水平部１６を矢印線Ｂの方向、つまり筒状部２１の内方または外方へ、調整して移動させることにより、立ち上がり部１４の傾倒を容易にすることができる。この傾倒とともに上円１１を若干反時計方向へ回転させながら、Ｃの方向へ移動させ、上円１１を最終的に底円１２付近の高さにまで下ろすことができる。すなわち、第一状態から第二状態への傾倒の途中段階を示す図３（ｂ）の状態を経て脚１３を完全に傾倒した第二状態である図３（ｃ）の状態にすることができる。この状態とすることにより、ホールポスト２が嵩張ることがなく、簡単に収納、携帯することができる。また、第二状態にした場合において、固定手段２２により再度固定すると、傾倒状態を固定することができるので、より収納、携帯が容易となる。
【００２１】
次に、固定手段２２による固定方法について説明する。
第一実施例の固定手段２２による固定は、ネジ３１による場合である。なお、第３実施例、第４実施例に別の固定手段を記載しているが、本考案の固定手段はこれらのみに限定されない。
図４（ａ）に示すように、ネジ３１には、その上部に台座３２、取手３３が形成されている。筒状部２１の上面が開孔され、ナット３４を介して、前記孔にネジ３１が螺入されている。そして、図４（ｂ）に示すように、使用者が取手３３を掴んで回動して、ネジ３１をより螺入することにより、ネジ先が下方へ移動して被固定部３５の表面に押し付けられ、被固定部３５を筒状部１７に収納した状態で固定することができる。
ここに、脚１３の水平部１６は、筒状部２１の開口部３６からその内部に挿入・収納されている。この水平部１６は、上円１１や底円１２と同じく断面が円形の金属製の線状部材であるが、図４（ａ）の破線で示すようにその途中から直方体形状に絞って被固定部３５に形成されている。この被固定部３５は、上方からネジ３１を押圧して固定するものであり、押圧力がかかりやすくなるような断面形状にすることでその固定をより強固にしている。なお、被固定部３５の形状はかかる形状のみに限定されない。これは第三実施例、第四実施例の場合でも同じである。
また、図４（ｃ）に示すように、ネジ３１の螺入による押圧固定でなく、押圧式のボタン部材７１としてもよい。ボタン部材７１による固定は、被固定部７５の固定箇所に貫通孔７２を設け、この貫通孔７２にボタン部材７１の差込棒７３をボタンの押圧により挿入して固定する。また、差込棒７３の周りに押圧固定部７４があり、この部分が被固定部７５を押し付けて筒状部７６内のがたつきを防止できる。
【００２２】
次に、図５に示すように、立ち上がり部１４の下端部分３７と底円１２の接触部分３８とについて説明する。
図５（ａ）に示すように、脚１３が立ち上がっている状態では、脚１３の立ち上がり部１４の下端部分３７は底円１２の上側表面の接触部分３８に接触しているが、底円１２と立ち上がり部１４は一体的に形成されているのではなく、接離することができる。
本実施例における立ち上がり部１４の下端部分３７は緩やかなアールとなっている。図５（ａ）は、図３（ａ）と同じ第一状態における接触状態を示しており、この状態では立ち上がり部１４の下端部分３７は、底円１２の上側表面から立ち上がるようになっている。  このとき、図示しないが立ち上がり部１４の下端部分３７と底円１２の接触部分３８とが互いに接しやすいようにローラーを取り付けておくとよい。
【００２３】
また、立ち上がり部１４の下端部分３７付近と、底円１２の接触部分３８付近とにそれぞれリング孔３９ａ、３９ｂを開け、両リング孔３９ａ、３９ｂにリング２０を通している。
リング２０により、立ち上がり部１４の下端部分３７と、底円１２の接触部分３８とが接離でき、起伏可能に結合されている。これにより、図５（ｂ）、（ｃ）に示すように、後述する脚を傾倒して上円１１を下ろした第二状態とするとき、水平部を筒状部から若干内または外方向へ移動させつつ、脚１３を底円１２の周縁方向に傾倒させる必要があるが、このとき立ち上がり部１４の下端部分３７を底円１２の接触部分３８から外して倒すことができるとともに、当該下端部分３７が底円１２との接触面から離れないようにすることができる。図５（ｂ）は図３（ｂ）と同じ状態を、図５（ｃ）は図３（ｃ）と同じ状態を示している。このように、図５（ａ）の立ち上がり部１４の下端部分３７が起きた状態である第一状態から、図５（ｂ）の状態、そして図５（ｃ）の伏せた状態である第二状態へと、起伏可能に結合されている。
このようにすると、再度第一状態とするときに簡単に組み立てることができ、脚１３に取り付けられた上円１１と底円１２とが分離しないようにすることができる。
本実施例ではリング２０による結合を示したが、樹脂による弾性部材を使用することもでき、必ずしもこれらのみに限定されない。また、下端部分３７と接触部分３８とが一端で折曲可能に接合して、当該折曲接合部分２３を境に折曲して下端部分３７が起伏するものでもよい。この場合は下端部分３７と接触部分３８とが完全に接離しないが、起伏可能に接合されている。
【００２４】
図６は本考案の第二実施例における固定手段を示すものである。
第二実施例におけるホールポスト４１は、ポール支持部１７の下面に接合して、均等な角度で三方向に脚１３の水平部４３が放射状に配置され、その上面で上円４２を支持している。
そして、図６（ａ）に示すように、本実施例の筒状部４４は、脚の折曲部４５付近に配置されている。この筒状部４４は長手方向両側に開口部を有し、一方の開口部から折曲部４５を挿入し、筒状部４４と折曲部４５とを溶接固定してある。また、筒状部４４のもう一方の開口部から水平部４３を挿入し、固定部材４６により固定してある。すなわち、本実施例の場合の脚は折曲部４５と水平部４３とが一体化されたものではなく分離しており、筒状部４４により連結されている。
図６（ｂ）における破線で示すように、脚１３の水平部４３は、第一実施例の場合と同じように、その途中から方形状に絞って被固定部４７が形成されている。
【００２５】
図７は本考案の第三実施例における固定手段を示すものである。第三実施例は第一実施例の場合と同じく、筒状部５４で上円を溶接固定して支持するものであるが、固定部５３における固定方法が異なる。
図７（ａ）に示すように、本実施例は、水平部５５を直方体形状に絞った被固定部５６の上面に突起状の凸部５１を形成している。
図７（ｂ）は、水平部５５、被固定部５６を筒状部５４に挿入・収納し、固定部５３で固定した状態を示している。図７（ｃ）にも示すように、固定部５３は筒状部５４から上方へ突出した形状で、内部にバネ５２を配置して凸部５１を嵌め込むことができる。凸部５１を上側にして、水平部の開放部から挿入しようとしても、凸部５１の上面までの高さが筒状部５４の中空部分の内部高さより高いと、挿入することができない。一方、凸部５１の上面までの高さを、筒状部５４の中空部分の横幅より低くしておくと、図７（ａ）で示すＤ方向へ水平部５５、被固定部５６を９０度回転させると、筒状部５４に挿入することができる。固定時は、Ｄ方向へ回転された水平部５５、被固定部５６を、凸部５１が固定部５３に相当する位置で回転前の位置に戻すことで、凸部５１が固定部５３の内部に嵌まり込み、バネ５２の弾力により凸部５１が下方向へ押し込まれ、固定される。そして、さらにＤ方向へ被固定部５６を回転させると固定が解除される。
これにより、第一状態から脚を傾倒して第二状態とするとき、被固定部５６をＤ方向へ回転させる必要があり、第二状態から第一状態に戻すときには、回転前の位置に戻すことになるので、第一状態から第二状態への変化に応じて固定とその解除をすることができ、第一、第二実施例の場合のようにネジを回動する手間を不要とする。
【００２６】
図８は本考案の第四実施例における固定手段を示すものである。
図８（ａ）に示すように、固定手段として、円筒状の押圧部６５とその側方からハンドル６２が延長形成されたコマ６１を使用する。押圧部６５の円形表面の中心点と異なる位置に押圧部６５の円形表面から裏面にかけて軸孔６４を開孔している。具体的には、中心点６３からハンドル６２方向と直行する方向へ軸孔６４をずらしている。
また、筒状部６６には内部にコマ部６１を配置するための固定部６７が上方へ突出するように形成されている。固定部６７の内部に配置されたコマ６１は、中心点６３からずれた位置にある軸孔６４で回動可能に軸止される。
図８（ｂ）に示すように、ハンドル６２を右側に倒したとき、軸孔がずれていることにより、押圧部６５が下がり、被固定部６８を押し付けるので、固定される。逆に、固定を解除するときは、ハンドル６２を左側に倒すと、押圧部６５が上がり、被固定部６８の押圧固定を解除することができる。
【産業上の利用可能性】
【００２７】
本考案は、社団法人日本グランドゴルフ協会の規格に適合する競技用グランドゴルフに使用し得るホールポストだけでなく、かかる規格に適合しない練習用ホールポストにも適用することができる。
【符号の説明】
【００２８】
１…ポール、２…ホールポスト、３…鈴、４…旗、１１…上円、１２…底円、１３…脚、１４…立ち上がり部、１５…折曲部、１６…水平部、１７…ポール支持部、１８…ネジ孔、１９…通し溝、２０…リング、２１…筒状部、２２…固定手段、２３…折曲接合部分、３１…ネジ、３２…台座、３３…取手、３４…ナット、３５…被固定部、３６…開口部、３７…立ち上がり部の下端部分、３８…接触部分、３９ａ…リング孔、３９ｂ…リング孔、４１…ホールポスト、４２…上円、４３…水平部、４４…筒状部、４５…折曲部、４６…固定部材、４７…被固定部、５１…凸部、５２…バネ、５３…固定部、５４…筒状部、５５…水平部、５６…被固定部、６１…コマ、６２…ハンドル、６３…中心点、６４…軸孔、６５…押圧部、６６…筒状部、６７…固定部、６８…被固定部、６９…水平部、７１…ボタン部材、７２…貫通孔、７３…差込棒、７４…押圧固定部、７５…被固定部、７６…筒状部、１０１…ポスト、１０２…ホールポスト、１０３…外側フレーム、１０４…内側フレーム、１０５…支持板、１０６…鈴、１０７…鈴、１０８…接合部
【図１】
0003160355.tif 000003
【図２】
0003160355.tif 000004
【図３】
0003160355.tif 000005
【図４】
0003160355.tif 000006
【図５】
0003160355.tif 000007
【図６】
0003160355.tif 000008
【図７】
0003160355.tif 000009
【図８】
0003160355.tif 000010
【図９】
0003160355.tif 000011
【図１０】
0003160355.tif 000012
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
断面円形の線状部材をリング状にした底円と、
底円より半径が小さい上円と、
上円を底円から同心円状の上方に立脚支持し、傾倒可能な複数の脚と、
上円の中心点付近にポールを支持するポール支持部とからなるものものであって、
上円を立脚支持する状態で脚を固定する第一状態と、
前記第一状態の固定を解除し、立脚支持する状態から脚を傾倒して上円を底円付近まで捻り下ろした第二状態、
にするための起伏手段を有することを特徴とするグランドゴルフ用ホールポスト。
【請求項２】
脚は、上方に伸びる立ち上がり部と、
立ち上がり部から折曲部を介して水平方向となる水平部とからなり、
上円に脚の一部を収納する筒状部を備えており、
第一状態は、立ち上がり部を立ち上げて、上円を底円との同心円状の上方で立脚支持する状態で、脚の筒状部への収納状態を固定し、
第二状態は、前記第一状態を解除して、脚を周縁方向になるように傾倒して上円を底円付近まで下降させることを特徴とする請求項１に記載のグランドゴルフ用ホールポスト。
【請求項３】
水平部と筒状部との固定は、
水平部のうち筒状部に収納した一部が断面直方形状となる被固定部となり、
当該被固定部において筒状部に配置する固定手段により固定することを特徴する請求項２に記載のグランドゴルフ用ホールポスト。
【請求項４】
固定手段による固定は、
筒状部の外部からネジ状の固定部材を螺入して、筒状部に収納された被固定部を押圧固定することを特徴とする請求項３に記載のグランドゴルフ用ホールポスト。
【請求項５】
筒状部は、中空の直方体で外方端部に開口部があり、均等となる角度で三方向に放射状に配置されるものであって、
当該筒状部の上円中心点付近で上面がポール支持部の下面と接合し、その外方上面で上円を支持し、
脚の水平部を前記開口部から挿入して固定することを特徴とする請求項２、３又は４のいずれかに記載のグランドゴルフ用ホールポスト。
【請求項６】
立ち上がり部を立ち上げて上円を立脚支持する第一状態で、立ち上がり部の下端部分と、底円の表面で当該下端部分との接触部分とを、起伏可能に結合することを特徴とする請求項２、３、４又は５のいずれかに記載のグランドゴルフ用ホールポスト。
【請求項７】
立ち上がり部の下端部分付近と、底円の表面の当該立ち上がり部の下端部分との接触部分付近とを、いずれも開口し、両開口部分にリングを通して、当該下端部分と接触部分とが接離でき、起伏可能に結合することを特徴とする請求項６に記載のグランドゴルフ用ホールポスト。